(57)【要約】  本発明は種々の液体を混合することができる携帯用液体混合装置に関するものであり、種々の液体には多様な飲料が含まれることができる。本発明は、特定の液体をそれぞれ収容する複数の容器、複数の容器のいずれか一つを選択する選択ユニット、選択された液体を混合容器に注入することを制御する調節ユニット、及び混合容器に注入された種々の液体を混合する混合ユニットを含むことを特徴とする。本発明によれば、種々の液体を混合することができる。特に、多くの味を有する飲料を各容器に入れた後、これを混合して飲むことができる。また、混合容器の表面には度盛りが表記されているので、各液体の量を精密に計測することができ、各液体を正確な比で混合することができる。【選択図】  図３
2021533973.tif 000002
【特許請求の範囲】
【請求項１】
複数の液体を混合することができる液体混合装置であって、
第１液体を収容している第１容器と、
第２液体を収容している第２容器と、
第１連結管及び第２連結管を介してそれぞれ前記第１容器及び前記第２容器と連通し、前記第１連結管のみ選択的に開けて前記第１液体を受けて収容するか又は前記第２連結管のみ選択的に開けて前記第２液体を受けて収容することができる選択的収容空間を有する選択ユニットと、
選択された液体を混合容器に注入することを制御する調節ユニットと、
前記選択ユニットから前記第１液体又は前記第２液体を受けて保存し、前記液体が混合される混合容器と、
前記混合容器内の液体を混合する混合ユニットと、
を含み、
前記第１連結管のみを選択的に開けて前記第１液体を前記混合容器に注入した後、前記第２連結管のみ選択的に開けて前記第２液体を前記混合容器に注入し、前記第１液体及び前記第２液体を混合し、
前記選択ユニットは、外側メンバーと、その内部に装着される内側メンバーとを含み、
前記外側メンバーと前記内側メンバーは互いに相対回転するときスライドするように結合され、
前記外側メンバーは、
円筒状を有し、
前記第１連結管又は第２連結管と連通する複数の外側貫通孔と、
外周面に形成され、側面ケースの第１アームと連結される複数の第２アームと、
前記第２アームに形成され、第２磁石が装着された第２磁石溝と、
内周面に沿って形成された内周溝とを含み、
前記内側メンバーは、
円筒状を有し、
前記外側貫通孔に対応するように円筒壁に形成された１個の内側貫通孔と、
円筒の下端円周部が中心側に一定の長さだけ延設された下部連通孔と、
前記下部連通孔の内周部が下方に一定の長さだけ延設された下側連通部と、
前記下側連通部の円筒壁に形成された複数の連通放射孔と、
外周面に沿って形成され、前記内周溝と結合され、互いにスライド可能に結合される外周条とを含む、携帯用液体混合装置。
【請求項２】
前記調節ユニットは、
前記下部連通孔の直径と同じ直径を有することによって前記下部連通孔を密閉することができる調節ディスクと、
前記調節ディスクを支持する支持棒と、
連結部を介して前記支持棒と連結され、前記調節ディスクの移動を制御することができる取っ手部と、
を含む、請求項１に記載の携帯用液体混合装置。
【請求項３】
前記混合容器は、透明な素材からなり、円筒状を有し、表面には度盛りが表記されており、外周面には調節ユニットの移動を制限するリミット突起が形成され、下端には密閉部が結合されて外部への液体漏出を防止することができる、請求項１に記載の携帯用液体混合装置。
【請求項４】
前記混合ユニットは、
前記混合容器の外部に位置し、極性の異なる磁石をそれぞれ有し、モーターの駆動によって回転する外部ローターと、
前記混合容器の内部に位置し、極性の異なる磁石をそれぞれ有し、前記外部ローターの回転によって回転する内部ローターと、
を含む、請求項１に記載の携帯用液体混合装置。
【請求項５】
前記第１容器又は前記第２容器を収納する側面ケースをさらに含み、
前記側面ケースは、第１アームに形成され、前記側面ケースの上方への回動を促進する牽引部材をさらに含み、
前記牽引部材は、
第１磁石が装着された第１磁石溝と、
前記側面ケースの上方への回動を一定の程度に制限する回動制限突起と、
を含む、請求項１に記載の携帯用液体混合装置。
【発明の詳細な説明】
【技術分野】
【０００１】
本発明は多様な液体を混合することができる携帯用液体混合装置に関するものである。
【背景技術】
【０００２】
一般に、飲料容器は、酒類、飲料水、食水などを保存して流通及び販売する容器であり、栓を開けて飲むことができるように構成される。このような飲料容器は、通常に、内部に内部空間が形成された胴体と、胴体の一側に形成され、栓によって開閉される流出口とからなる。
【０００３】
しかし、このような飲料容器は胴体が一体型に単一化しているから異種の飲料を分離して保存することはできないため、多様な消費者の趣向及び欲求を満たすことができなかった。よって、多様な飲料を味わうことを強く望む消費者にもっと多様な飲料食品を提供することができないため、多数のコップや容器に飲料食品をそれぞれ入れて提供しなければならない面倒さが加重される問題点があった。
【０００４】
最近では、より多様化した消費者の趣向と消費欲求を満たすために、単一の容器に異種の飲料を保存するように形成された二重の内部空間を備えた空間分割型飲料容器が紹介されている。このような空間分割型飲料容器は、容器本体の内部の中央に隔壁を設けて内部空間を分割する構造を有している。
【０００５】
本発明の研究者らは需要者のより多様な趣向を満たすために繰り返し研究した結果、本発明を完成した。
【発明の概要】
【発明が解決しようとする課題】
【０００６】
本発明は多様な液体を混合することができる携帯用液体混合装置を提供しようとする。
【課題を解決するための手段】
【０００７】
前記課題を解決するための本発明の一側面は、複数の液体を混合することができる液体混合装置であって、第１液体を収容している第１容器と、第２液体を収容している第２容器と、第１連結管及び第２連結管を介してそれぞれ前記第１容器及び前記第２容器と連通し、前記第１連結管のみ選択的に開けて前記第１液体を受けて収容するか又は前記第２連結管のみ選択的に開けて前記第２液体を受けて収容することができる選択的収容空間を有する選択ユニットと、選択された液体を混合容器に注入することを制御する調節ユニットと、前記選択ユニットから前記第１液体又は前記第２液体を受けて保存し、前記液体が混合される混合容器と、前記混合容器内の液体を混合する混合ユニットと、を含み、前記第１連結管のみを選択的に開けて前記第１液体を前記混合容器に注入した後、前記第２連結管のみ選択的に開けて前記第２液体を前記混合容器に注入し、前記第１液体及び前記第２液体を混合する携帯用液体混合装置であることができる。
【０００８】
この側面で、前記選択ユニットは、外側メンバーと、その内部に装着される内側メンバーとを含み、前記外側メンバーと前記内側メンバーは互いに相対回転するときスライドするように結合され、前記外側メンバーは、円筒状を有し、前記第１連結管又は第２連結管と連通する複数の外側貫通孔と、外周面に形成され、側面ケースの第１アームと連結される複数の第２アームと、前記第２アームに形成され、第２磁石が装着された第２磁石溝と、内周面に沿って形成された内周溝とを含み、前記内側メンバーは、円筒状を有し、前記外側貫通孔に対応するように円筒壁に形成された１個の内側貫通孔と、円筒の下端円周部が中心側に一定の長さだけ延設された下部連通孔と、前記下部連通孔の内周部が下方に一定の長さだけ延設された下側連通部と、前記下側連通部の円筒壁に形成された複数の連通放射孔と、外周面に沿って形成され、前記内周溝と結合され、互いにスライド可能に結合される外周条とを含むことができる。
【０００９】
この側面で、前記調節ユニットは、前記下部連通孔の直径と同じ直径を有することによって前記下部連通孔を密閉することができる調節ディスクと、前記調節ディスクを支持する支持棒と、連結部を介して前記支持棒と連結され、前記調節ディスクの移動を制御することができる取っ手部と、を含むことができる。
【００１０】
この側面で、前記混合容器は、透明な素材からなり、円筒状を有し、表面には度盛りが表記されており、外周面には調節ユニットの移動を制限するリミット突起が形成され、下端には密閉部が結合されて外部への液体漏出を防止することができる。
【００１１】
この側面で、前記混合ユニットは、前記混合容器の外部に位置し、極性の異なる磁石をそれぞれ有し、モーターの駆動によって回転する外部ローターと、前記混合容器の内部に位置し、極性の異なる磁石をそれぞれ有し、前記外部ローターの回転によって回転する内部ローターと、を含むことができる。
【００１２】
この側面は前記第１容器又は前記第２容器を収納する側面ケースをさらに含み、前記側面ケースは、第１アームに形成され、前記側面ケースの上方への回動を促進する牽引部材をさらに含み、前記牽引部材は、第１磁石が装着された第１磁石溝と、前記側面ケースの上方への回動を一定の程度に制限する回動制限突起と、を含むことができる。
【００１３】
この側面は下部ケースをさらに含み、下部ケースは、上向きにオープンし底部が塞がった円筒状構造を有し、中心部には密閉部と結合する支持結合部を有し、支持結合部の内部にモーターが垂直に装着され、側壁には電源のオン又はオフによってモーターを動作させることができるスイッチが装着され、側壁の上端には突起が形成され、これが側面ケースの下端の溝と結合することができる。
【発明の効果】
【００１４】
本発明によれば、種々の液体を混合することができる。特に、さまざまな味を有する飲料を各容器に入れた後、これを混合して飲むことができる。また、種々の飲料を混合せず、その中で好きな液体のみ選択的に飲むこともできる。
【００１５】
また、混合容器の表面には度盛りが表記されているので、液体の量を精密に計測することができ、各液体を正確な比率で混合することができる。
【００１６】
また、混合容器に氷（冷水）又は高温の水を入れた場合には、これによる冷気又は温気によってコーヒー飲料などの液体を冷たく又は暖かく維持することができ、保冷装置又は保温装置として活用することができる。
【図面の簡単な説明】
【００１７】
【図１】本発明の一側面による携帯用液体混合装置の斜視図である（左側には上部ケースによって遮られた状態を示し、右側には一部が露出された状態を示す）。
【図２】本発明の一側面による携帯用液体混合装置から上部ケースが除去された状態を示す斜視図である。
【図３】本発明の一側面による携帯用液体混合装置の断面図である。
【図４】図３に色相を付け加えたものの断面図である。
【図５】本発明の一側面による携帯用液体混合装置の上部ケースを示す図である（左側は内側上部ケース、右側は外側上部ケース）。
【図６】本発明の一側面による携帯用液体混合装置の側面ケースが展開して上がった状態を示す斜視図である。
【図７】図６の中心部の一部断面を示す部分断面図である。
【図８】図６の断面を示す断面図である。
【図９】本発明の一側面による携帯用液体混合装置において選択ユニットの外側メンバーを示す図である。
【図１０】本発明の一側面による携帯用液体混合装置において選択ユニットの内側メンバーを示す図である。
【図１１】本発明の一側面による携帯用液体混合装置において下部連通孔が閉まった状態を示す拡大断面図である。
【図１２】本発明の一側面による携帯用液体混合装置において下部連通孔が開状態を示す拡大断面図である。
【図１３】本発明の一側面による携帯用液体混合装置の調節ユニットを示す図である。
【図１４】本発明の一側面による携帯用液体混合装置の側面ケースを示す図である。
【図１５】本発明の一側面による携帯用液体混合装置の牽引部材を示す図である。
【図１６】本発明の一側面による携帯用液体混合装置の混合容器を示す図である。
【図１７】本発明の一側面による携帯用液体混合装置の密閉部を示す図である。
【図１８】本発明の一側面による携帯用液体混合装置の下部ケースを示す図である。
【図１９】本発明の一側面による携帯用液体混合装置の混合容器と下部ケースが結合された状態を説明するための部分断面拡大図である。
【図２０ａ】本発明の一側面による携帯用液体混合装置の外部ローターの下部メンバーを示す図である。
【図２０ｂ】本発明の一側面による携帯用液体混合装置の外部ローターの上部メンバーを示す図である。
【図２１ａ】本発明の一側面による携帯用液体混合装置の内部ローターの下部メンバーを示す図である。
【図２１ｂ】本発明の一側面による携帯用液体混合装置の内部ローターの上部メンバーを示す図である。
【発明を実施するための形態】
【００１８】
以下、添付図面に基づいて本発明の好適な実施形態を説明する。本発明の実施形態は様々な形態に変形可能であり、本発明の範囲が以下で説明する実施形態に限定されるものではない。本発明の実施形態は当該分野で平均的な知識を有する者に本発明をより完全に説明するために提供するものである。よって、図面における要素の形状及び大きさなどはより明確な説明のために誇張されることがあり、図面上で同じ符号で表示される要素は同一要素である。本発明で、第１又は第２という表現は、手順、重要度を意味するものではなく、単純に構成要素を区分するためのものである。
【００１９】
本発明は種々の液体を混合することができる携帯用液体混合装置に関するものである。多様な液体には多様な飲料が含まれることができる。
【００２０】
図１には本発明の一側面による携帯用液体混合装置の斜視図を示す。図１の左側は内側上部ケース２２及び外側上部ケース２１で遮られた状態を示し、右側は外側上部ケース２１を４５度回転させた状態を示す。外側上部ケース２１を９０度回転させることによって側面ケース３１、３２が上方に上がるとき、互いに干渉しないことができる。図２は本発明の一側面による携帯用液体混合装置から上部ケースが除去された状態を示す。図３は本発明の一側面による携帯用液体混合装置の断面図を示し、図４は図３に色相を付け加えて示す。
【００２１】
本発明の携帯用液体混合装置は、特定の液体をそれぞれ含む複数の容器６０、複数の容器の中でいずれか一つを選択する選択ユニット９０、選択された液体を混合容器７０に注入することを制御する調節ユニット８０、及び混合容器７０に注入された種々の液体を混合する混合ユニットを含むことができる。
【００２２】
携帯用液体混合装置は、複数の容器に互いに異なる液体を入れた後、これを携帯して移動する過程などで各液体を所望の比で混合した後、これを飲用するか特定の用途に使うことができる装置である。また、種々の飲料を混合せず、その中で好きな液体のみ選択的に飲むこともできる。
【００２３】
複数の容器６０はそれぞれ異なる種々の液体を収容することができる。例えば、液体は多様な味をつけることができる飲料であることができる。具体的に、コーヒー味の飲料、レモン味の飲料、薄荷味の飲料、リンゴ味の飲料、甘酒、スジョングァ（韓国の伝統飲料）などの多様な飲料を含むことができる。その他にも、食酢、醤油などの液状薬味を入れ、これらを混合して使うこともできる。また、種々の酒類を各容器に入れ、これらを一定の比で混合してカクテルを製造して飲用しようとする場合にも使うことができる。容器素材は人体に無害なプラスチックであることができる。しかし、これに限定されるものではなく、アルミニウムなどの金属素材であることができる。携帯用のものであることを考慮すれば、重さを減らすためにプラスチック素材が好ましいであろう。
【００２４】
図５は上部ケースを示す。図５の左側は選択ユニット９０と結合される内側上部ケース２２を示し、右側は内側上部ケース上に結合される外側上部ケース２１を示す。
【００２５】
上部ケースは複数の脚２２４、２２５が形成された構造を有することができる。例えば、４個の脚が９０度の間隔で形成されることができる。内側上部ケース２２と外側上部ケース２１を互いにずれるように配置する場合、内側上部ケースの脚２２４と外側上部ケースの脚２２５によって内部が遮られて見えないことができる。
【００２６】
内側上部ケース２２の外面には複数の開閉凹部２２３が形成され、これに対応するように外側上部ケース２１の内面には開閉突起（図示せず）が形成されることができる。これと反対に、内側上部ケースに開閉突起が形成され、外側上部ケースに開閉凹部が形成されることもできる。
【００２７】
脚が４個の場合、開閉凹部２２３及び開閉突起はそれぞれ８個が一定の間隔、すなわち４５度の間隔で形成されることができる。これにより、容易で正確に４５度ずつ回転させることができるので、開閉が可能である。すなわち、内側上部ケース２２の脚と外側上部ケース２１の脚が重なっている開けられた状態（開）からいずれか一つを４５度回転させた場合には、脚の位置が互いにずれて内部が見えない閉まった状態（閉）になることができる。
【００２８】
ここでは脚が４個の場合（側面ケースも４個）を説明しているが、これに限定されるものではない。脚が３個である場合（側面ケースも３個）には開閉凹部２２３及び開閉突起はそれぞれ６個が形成されることができ、６０度回転する度に開閉転換が発生することができる。
【００２９】
内側上部ケース２２は選択ユニット９０に結合される結合部２２６を有することができる。結合部２２６は円筒状を有することができ、選択ユニット９０の外側メンバー２３の外周面上部に結合されることができる。ここで、結合された内側上部ケースが下側に移動しないように、選択ユニットの外側メンバー２３の外周面上部には外周面に沿って結合条１０８が形成されることができる。内側上部ケース２２には蓋１０が結合されることができ、蓋によって内部の液体が外部に漏洩することを防止することができる。
【００３０】
図６〜図８は側面ケース３０が上がった状態を多様に示す。図６は側面ケース３０が上がった状態を示す斜視図を示し、図７は中心部の一部断面を示し、図８は側面ケース３０が上がった状態の断面を示す。側面ケース３０を上方に上げるためには、下部ケース４０を少し下方に引くことによって下部ケースの突起４３と側面ケース３０の下端溝３５、３６の結合を解除した後、側面ケース３０を上側に少し上げれば、選択ユニットの外側メンバー２３の第２アーム１０３に装着された第２磁石と側面ケース３０の第１アーム３３に装着された牽引部材１０２に装着された第１磁石との間の引力によって側面ケース３０が上側に上がるようになる。牽引部材１０２に形成された回動制限突起１０９によって側面ケース３０はある程度上がった後にはそれ以上上がることができなくて止まるようになる。
【００３１】
選択ユニット９０は、外側メンバー２３とその内部に装着される内側メンバー２４とを含むことができる。内側メンバー２４と外側メンバー２３は互いに密着しているが、回転時には相互間にスライド可能である。選択ユニットによって多様な液体の中で特定の液体を選択することができる。選択された液体は注入口を通して選択ユニット内の収容空間に流入することができる。外側メンバーには液体が入っている容器の個数の分だけ外側貫通孔１２０が形成されることができる。複数の外側貫通孔１２０は互いに同じ間隔で配置されることができる。例えば、容器が４個の場合、４個の外側貫通孔１２０が形成され、各外側貫通孔１２０はそれぞれ９０度の間隔で配置されることができる。外側貫通孔１２０は皺管を介して容器と連通することができる。内側メンバーには一つの内側貫通孔１３０のみ形成されることができる。内側貫通孔１３０は外側貫通孔１２０に対応するように形成されることができる。内側メンバーを回転させれば、内側貫通孔１３０も回転することができる。内側メンバーを回転させて内側貫通孔１３０を特定の外側貫通孔１２０にマッチさせる場合、当該外側貫通孔１２０と連通する容器を選択することになり、当該容器内に入っている液体を選択的に選択ユニットの収容空間１１０に注入することができる。すなわち、選択ユニットでは特定の液体を選択的に注入することができる。その後、内側メンバー２４を９０度回転させて他の液体を選択的に注入することができる。このように、特定の液体を選択し、これをすぐ吐出口を通して外部に吐き出す場合には、当該特定の液体のみ飲用するなどに活用することができる。具体的な例を挙げれば、各容器に種々の飲料を入れて携帯し、自分が好む特定の飲料のみ選択して飲むことができる。
【００３２】
図９は選択ユニットの外側メンバー２３を示す。外側メンバー２３は円筒状を有し、上方にオープンして吐出口１１１が形成され、吐出口を通して液体などが外部に吐き出されることができる。外側メンバー２３の円筒の下側壁には複数の外側貫通孔１２０が同じ間隔で形成されることができる。例えば、外側貫通孔が４個の場合には９０度の間隔で形成されることができる。外側貫通孔１２０は連結管（皺管）６３を介して容器６０と連通することができる。容器６０内に入っている液体が連結管（皺管）６３及び外側貫通孔１２０を順次通過して選択ユニット内の収容空間１１０に注入されることができる。外側貫通孔１２０の個数は容器６０の個数と同一であることができる。図９は４個の外側貫通孔を示しているが、これに限定されるものではない。
【００３３】
また、外側メンバーの上部外周面には複数の第２アーム１０３が形成されることができる。第２アーム１０３は外側貫通孔１２０の左右に一対が形成されることができる。第２アーム１０３は側面ケース３０の第１アーム３５と結合することができる。
【００３４】
第２アーム１０３には第２磁石溝１０５が形成されることができ、第２磁石溝には第２磁石が装着されることができる。側面ケース３０の第１アーム３５に装着された牽引部材１５にも第１磁石溝１０１が形成されて第１磁石（図示せず）を収容することができる。第１磁石と第２磁石は互いに反対極性を有して相互間に引力が作用し、このような磁石間の引力によって側面ケースを上方に容易に持ち上げることができる。すなわち、牽引部材１０２は、側面ケースが上方に回動するときに回動を促進させる力を加えることができる。側面ケースを持ち上げるに際して、初期には人手などを介して外力を加えるが、側面ケースが上がり始めれば、牽引部材１０２に加わる力によって側面ケース３０が自ら上方に上がる回動をすることができる。側面ケースが上がれば、側面ケース３０内の容器６０、６１、６２内に存在する液体が皺管６３を通して選択ユニット内の収容空間１１０に移動することができる。
【００３５】
外側メンバー２３の上部外周面には同じ間隔で複数の微細突起１０７が形成されることができる。微細突起１０７の個数は容器の個数（外側貫通孔１２０の個数）と同一である。容器が４個の場合には９０度の間隔で形成されることができる。内側メンバー２４には、微細突起１０７と結合することができる微細凹部１３６が形成されることができる。微細突起１０７を形成する理由は、外側メンバー２３と結合して回転するとき、スライドする内側メンバー２４が一定の角度だけ正確に回転するようにするためである。内側メンバー２４の回転の際に外側メンバー２３の微細突起１０７と内側メンバーの微細凹部１３６が結合する位置に対応するように外側貫通孔１２０及び内側貫通孔２３０が形成される位置を決定することができる。外側メンバー２３の内周面に沿って内周溝１２２が形成されることができ、これには内側メンバー２４の外周面に形成された外周条１３２が結合することができる。
【００３６】
図１０は選択ユニットの内側メンバー２４を示す。内側メンバーは円筒形のボディー部１３１を有し、上方にオープンして吐出口１１１を形成することができる。内側メンバー２４のボディー部の上端は外側に放射状に伸びてから下方に折れて伸びることによって折曲部１３３を形成することができる。これにより、ボディー部１３１の外周面との間に溝１３７が形成されることができる。溝１３７は内側メンバーの上端部外面を取り囲むように形成されることができる。内側メンバー２４と外側メンバー２３の組立ての際、外側メンバー２３の上端部が内側メンバーの溝２４に挿合されることができる。内側メンバー２４と外側メンバー２３は組立後の回転時にスライド可能である。
【００３７】
また、折曲部１３３の溝の内側には微細凹部１３６が形成されることができる。微細凹部１３６には外側メンバーの微細突起１０７が挿合されることができる。微細凹部１３６は微細突起１０７に対応する個数だけ形成されることができる。微細突起１０７が４個の場合、微細凹部１３６も４個が形成されることができる。内側メンバー２４と外側メンバー２３がスライド回転するとき、微細突起１０７と微細凹部１３６が結合される位置で一旦停止されることができ、さらに力を加えれば回転スライドを持続することができ、次に位置する微細突起１０７と微細凹部１３６が結合されれば一旦停止されることができる。これにより、回転位置を正確に制御することができる。
【００３８】
内側メンバー２４の円筒壁には内側貫通孔２３０が形成されることができる。内側貫通孔２３０は１個であることができる。内側貫通孔２３０は外側貫通孔１２０に対応するように形成されることができる。内側貫通孔２３０は１個であり、外側貫通孔１２０は複数である。例えば、外側貫通孔１２０は４個であることができる。内側メンバー２４を回転させる途中、その位置を、複数の外側貫通孔１２０のいずれか一つを選択してそれと一致させれば、その外側貫通孔１２０に連結された容器の液体を選択することになり、選択された液体は連結管６３を通して選択ユニットの収容空間１１０に移動（注入）されることができる。
【００３９】
また、内側メンバー２４の外周面に沿って外周条１３２が形成されることができ、これは外側メンバーの内周面に沿って形成された内周溝１２２に挿合されることができる。このような結合により、内側メンバー２４と外側メンバー２３との間に発生し得る上下方への相対移動を防止して安定的な状態を維持することができる。
【００４０】
内側メンバー２４のボディー部１３１の円筒下端の円周部は中心側に折れ、一定の長さだけ伸びて下部連通孔１３５を形成することができる。下部連通孔１３５の内周部は下方に一定の長さだけ伸びて下側連通部を形成することができる。下部連通孔１３５の直径はボディー部１３１の直径より小さいことができる。下側連通部も円筒状を有することができ、その円筒壁には複数の連通放射孔１３０が一定の間隔で形成されることができる。例えば、４個の連通放射孔が形成されることができる。連通放射孔１３０の個数が多いほど、これを通しての物質移動が速くなる。下側連通部には調節ユニット８０の調節ディスク８２が結合されることができる。調節ディスクの直径は下部連通孔１３５及び下側連通部の直径と同一であることができる。これにより、調節ディスク８２が下部連通孔１３５を密閉して液体漏出を防止することができる。調節ユニット８０を下方に移動させることで調節ディスク８２が連通放射孔１３０を通して下側連通部の末端に位置すれば、選択ユニットの収容空間１１０と混合容器７０の混合空間７０が下部連通孔１３５及び連通放射孔１３０を介して連通し、これにより物質の移動が可能である。収容空間１１０内の液体は下部連通孔１３５及び連通放射孔１３０を通して混合容器７０に移動することができ、その反対の移動も可能である。
【００４１】
図１１は下部連通孔１３５が閉まった状態を示す。図１１を参照すると、調節ユニットが上方に押し上げられ、調節ユニット８０の調節ディスク８２が選択ユニットの内側メンバー２４の下部連通孔３５を塞げて密閉しているから、収容空間１１０に存在する液体は混合容器７０の混合空間７１に移動することができない。また、図１１では選択ユニットの内側メンバー２４の左側がオープンしており、これから左側容器を選択していることを確認することができる。したがって、左側容器の液体が選択ユニットの収容空間１１０に移動することができる。しかし、下部連通孔１３５が調節ディスク８２によって密閉されているから、左側容器の液体は収容空間１１０に止まるだけで混合容器７０の混合空間７１には移動することができない。このような状態ですぐ吐出口を通して外部に吐き出される場合には当該特定の液体のみ飲用するなどに活用することができる。具体的な例を挙げれば、各容器に種々の飲料を入れて携帯しながら自分が好む特定の飲料のみ選択して飲むことができる。すなわち、本発明の一側面による装置は多数の液体を混合するか又は特定の液体のみ選択することができ、これを飲用するなどに活用することができる。
【００４２】
図１２は下部連通孔１３５が開状態を示す。図１２を参照すると、調節ユニット８０を下方に引き下げることにより、調節ディスクが下側連通部の末端に位置し、下部連通孔１３５及び連通放射孔１３０は開状態になる。また、図１１と同様に、選択ユニットの内側メンバー２４の左側がオープンしており、これから左側容器を選択していることを確認することができ、左側容器の液体が選択ユニットの収容空間１１０に移動することができる。また、下部連通孔１３５及び連通放射孔１３０がオープンしているから、液体はこれを通して混合容器７０の混合空間７１に移動することができる。
【００４３】
図１３は調節ユニット８０を示す。調節ユニット８０は選択ユニットと混合容器との間の液体の移動を調節する機能をすることができる。調節ユニットは、調節ディスク８２、支持棒８４、取っ手部８１及び連結部８３を含むことができる。
【００４４】
調節ディスク８２は選択ユニットの下部に形成された下部連通孔とマッチするように形成され、調節ディスクが貫通孔を塞げば液体の移動が停止され、調節ディスク８２を下方に下れば貫通孔が開いて液体の移動が可能である（図１１及び図１２参照）。調節ディスク８２は混合容器７０の内部に位置することができる。調節ディスクの下面には支持棒８４が垂直に形成されて調節ディスク８２を支持することができる。
【００４５】
取っ手部８１は、調節ディスク８２の上下移動を調節することができるように外部から力を加えるために形成された、手で握られる部分である。取っ手部８１は混合容器の外部に円筒状に形成されることができる。
【００４６】
連結部８４は混合容器７０の外部に位置する円筒状の取っ手部８１と混合容器の内部に位置する支持棒８４を連結することができる。連結部８３は放射状に形成されることができる。連結部８３は混合容器７０に形成された長孔形の貫通ホール７３に挿入されて貫通することによって取っ手部８１と支持棒８４を連結することができる。
【００４７】
図１４は側面ケース３０を示す。側面ケース３０には液体を収容している容器６０を収容することができる。図面には側面ケース３０が４個の場合を示しているが、これに限定されるものではなく、２個以上であってもよい。側面ケースの上部内面には第１アーム３５が形成されることができる。第１アーム３５の端部には結合溝が形成されることができ、結合溝に対して垂直に第１結合孔３６が形成されることができる。第１アーム３５は選択ユニット９０に形成された第２アーム１０３と結合されることができ、具体的には第２アーム１０３の端部を第１アーム３５の端部に形成された結合溝に挿入した後、第１アーム３５の第１結合孔３６と第２アーム１０３の第２結合孔１０６の位置を一致させ、第１結合孔３６及び第２結合孔１０６を通過する結合ピン（図示せず）を挿入することにより、第１アーム３５と第２アーム１０３を結合させることができる。第１アーム３５と第２アーム１０３は結合ピンを中心に回動可能であり、側面ケースを持ち上げれば、結合ピンを中心として回転して側面ケースが上方に回動することができる（図６参照）。
【００４８】
側面ケース３０に形成された第１アーム３５には牽引部材１０２が装着されることができる。牽引部材１０２は側面ケースが上方に回動するときに回動を促進させる力を加えることができる（側面ケースの上向回動を促進）。側面ケースを持ち上げるにあたり、初期には人の手などによって外力を加えるが、側面ケースが上がり始めれば、牽引部材１０２に加わる力によって側面ケースが自ら上方に回動することができる。
【００４９】
図１５は牽引部材を示す。図１５を参照すると、牽引部材１０２は２個の小板１００が互いに連結された構造を有することができる。牽引部材１０２には第１磁石溝１０１が形成されて第１磁石が装着されることができる。選択ユニットの第２アーム１０３にも磁石溝１０５が形成され、これに第２磁石が装着されることができる。第１磁石と第２磁石は互いに引力が作用する反対極性を有することができる。第１磁石及び第２磁石の引力によって側面ケースが自ら上がることができる。図面に示すように、側面ケースごとに２個の牽引部材が装着されることができる。牽引部材の個数が多いほど磁石間の引力が大きくなるから側面ケースがもっと容易に上がることができる。
【００５０】
また、牽引部材１０２には回動制限突起１０９がさらに形成されることができる。第１磁石及び第２磁石の引力によって側面ケース３０が上がってもその限界を決定する必要があるので、回動制限突起１０９を形成することにより、側面ケースが一定の程度以上に回動することを防止することができる。回動制限突起１０９の位置は側面ケースの回動軌跡をどのように設定するかによって変わることができる。
【００５１】
図１６は混合容器７０を示す。混合容器７０は円筒状を有することができる。内部に存在する液体量などを肉眼で確認するために、混合容器７０は透明な素材からなることができる。ガラスだけでなく、透明プラスチックを使うことができる。混合容器７０の表面には、液体量を正確に確認することができるように、度盛り７２を表記することができる。密閉部１４０が結合される混合容器７０の下端部の直径は上端部の直径より小さいことができる。混合容器７０の上部には調節ユニットが挿入される長孔形の貫通ホール７３が形成されることができる。長孔形貫通ホール７３は混合容器７０の外周面に沿って複数が形成されることができ、複数の貫通ホール７３は対称状に配置されることができる。また、調節ユニット８０が上方に過度に移動することを防止するために、複数のリミット突起７４が混合容器７０の外周面に外側に突設されることができる。
【００５２】
混合容器７０の上部に結合された調節ユニット８０は上下に動くことができる。調節ユニットを下方に移動させれば、選択ユニットの下部連通孔１３５がオープンし、選択ユニット９０に存在する液体が混合容器７０内に流入することができる。これを防止しようとする場合には、調節ユニットを上方に移動させて選択ユニットの下部連通孔３５を塞ぐことによって液体の流入を停止させることができる。選択ユニット９０の内側メンバー２４の下部連通孔３５を正確に塞ぐことができる程度に調節ユニットの移動を調節するためにリミット突起７４を形成する。すなわち、調節ユニットを上方に移動させてリミット突起７４に接したときに選択ユニットの下部連通孔３５が塞がるようにリミット突起７４の位置を調節することができる。
【００５３】
複数の容器に飲料などの液体を入れた状態で、混合容器に氷や冷水又はこれらの混合物入れておいた場合には、混合容器の冷気によって容器に入っているコーヒー飲料などの液体を冷たく維持することができる。すなわち、本発明の一側面による装置を保冷装置として活用することができる。また、混合容器に高温の水などを入れた場合には、混合容器の温気によって容器に入っているコーヒー飲料などの液体を暖かく維持することができ、この場合には保温装置として活用することができる。
【００５４】
図１７は混合容器７０の下端に結合して下端を密閉させることにより、混合容器７０内の液体が外部に漏洩することを遮断する密閉部１４０を示す。密閉部１４０は円板状の底面を有し、円板の円周部が垂直上方に一定の長さだけ延設された結合壁３４１を有することができる。結合壁３４１は混合容器７０の下端に結合されることができる。円板の中心部には湾入によって上方に突出した湾入突出部３４３が形成されることができ、湾入突出部３４３の反対側には湾入孔３４４が形成されることができる。湾入孔３４４にはモーター４２の軸棒が挿入されることができる。モーター４２の軸棒と湾入孔の内壁との間には十分な隙間があって湾入孔３４３の内壁がモーター４２軸棒の回転を妨げないようにしなければならない。下側には脚が形成されて密閉部１４０を支持することができる。脚は複数であることができ、複数の脚は互いに対称状に形成されて密閉部１４０を安定的に支持することができる。脚３４２の末端には外側に折れた突出部３４５が形成されることができる。密閉部１４０と下部ケース４０の結合の際、下部ケース３０に突出部３４５と結合することができる溝部（図示せず）を形成することにより、密閉部１４０と下部ケース４０を安定的に固定することができる。混合容器７０に密閉部１４０を結合すれば、密閉部１４０は混合容器７０の底面をなすようになる。混合容器７０と密閉部１４０が結合することにより、初めて混合容器７０が出来上がってその機能を遂行することができる。
【００５５】
図１８は下部ケース４０の構造を示す。図１９は混合容器７０と下部ケース４０が結合された状態の一部断面を拡大して示す。下部ケース４０は上向きにオープンするとともに底が塞がった円筒状の構造を有し、中心部には小さな円筒状構造の支持結合部４４が形成され、支持結合部４４を介して密閉部１４０と結合されることができる。支持結合部４４の内部にはモーター４２が垂直に装着されることができる。また、バッテリーなどを収容することができる電源収容部４７を有し、電源をターンオン又はターンオフすることができる電源スイッチ５０が装着されるスイッチ貫通ホール４８を有することができる。電源をターンオンすればモーター４２が動作し、電源をターンオフすればモーター４２の動作が停止することができる。また、下部ケース４０の側壁４１の上端には突起４３が形成され、これが側面ケース３０の下端に形成された溝３７、３８に結合されることができる。突起４３の個数は側面ケース３０の個数と同一であることができる。
【００５６】
側面ケース３５、３６を集めた後、下部ケース４０を押し上げることにより、下部ケースの突起４３と側面ケースの溝３７、３８を雌雄結合させることができる。結合によって側面ケース３０は固定され、よって横方向に広がらなくなる。側面ケース３０を持ち上げようとする場合には、下部ケース４０を下方に少し引くことによって突起４３と溝３７、３８の結合を解除し、側面ケース３０を横方向に広げれば側面ケース３０を持ち上げることができる。
【００５７】
内部ローター４６は密閉部１４０上に装着され、外部ローター４５は密閉部１４０の下に装着されることができる。混合容器７０に密閉部１４０が結合することによって混合容器７０が出来上がるものであるので、結合された状態を基準にその内部に存在するローターを内部ローター４６と言い、外部に存在するローターを外部ローター４５と言うことができる。
【００５８】
混合ユニットは混合容器７０内に注入された種々の液体を混合する機能を果たすことができる。本発明で、混合ユニットは混合容器７０内に位置する内部ローター４６と、混合容器７０の外部に存在する外部ローター４５とを含むことができる。内部ローター４６と外部ローター４５のそれぞれには磁石が含まれ、磁石の極性による引力及び斥力によって互いに作用することができる。モーター４２を用いて外部ローター４５を回転させれば、内部ローター４６も回転して混合容器７０内の液体に渦流を引き起こして効果的に混合させることができる。
【００５９】
図２０ａは外部ローター４５の下部メンバー４５ａを示し、図２０ｂは外部ローター４５の上部メンバー４５ｂを示す。外部ローター４５の上部メンバー４５ｂを裏返した後、これを外部ローター４５の下部メンバー４５ａ上に重ねて互いに結合させることができる。結合過程で上部メンバー４５ｂの結合孔２４２に下部メンバー４５ａの結合突起２４７が挿入されることができる。結合孔２４２及び結合突起２４７を介して結合することにより、両メンバーを容易で正確に結合することができる。
【００６０】
外部ローター４５の両端には、磁石（図示せず）を収容することができる２個の磁石収容部２４４、２４９が形成されている。磁石はディスク状を有することができ、磁石収容部２４４、２４９はディスク状の磁石を収容することができるディスク状の収容空間２４４、２４９を有することができる。それぞれの磁石収容部には互いに異なる極性を有する磁石が装着されることができる。
【００６１】
外部ローター２４５の上部メンバー２４５ｂ及び下部メンバー２４５ａの中心にはそれぞれ軸孔２４１、２４６が形成され、これらにモーター４２の回転軸が挿合されることができる。モーター４２が回転すれば、それによって外部ローター４５も回転することができる。外部ローター４５の軸孔２４１、２４６の大きさは内部ローター４６の軸孔１４１、１４６の大きさより小さいことができる。
【００６２】
外部ローター４５の上部メンバー４５ｂの磁石収容部の底面外側には摩擦突起２４５が形成されることができる。外部ローター４５の上部メンバー４５ｂの摩擦突起２４５の端部が混合容器７０の底部の外側面に接触することができる。これにより、外部ローター４５が回転するとき、混合容器７０の底面との摩擦を最小化することができる。摩擦突起２４５が混合容器の底部の外側面に接触しない場合、外部ローター４５の回転の際に混合容器７０の底部の外側面に外部ローター４５が接触しないことがあるから、外部ローター４５で振動などが発生することができ、よって騒音が発生することができる。
【００６３】
図２１ａは内部ローター４６の下部メンバー４６ａを示し、図２１ｂは内部ローター４６の上部メンバー４６ｂを示す。上部メンバー４６ｂを裏返した後、下部メンバー４６ａ上に重ねて結合させることができる。ここで、上部メンバー４６ｂの結合突起１４７が下部メンバー４６ａの結合孔１４２に挿合されることができる。結合孔１４２及び結合突起１４７を介して結合することにより、両メンバーを容易で正確に結合することができる。
【００６４】
内部ローター４６の両端には、磁石を収容することができる２個の磁石収容部１４４が形成されている。磁石はディスク状であることができ、磁石収容部１４４はディスク状の磁石を収容することができるディスク状の収容空間１４４を有することができる。それぞれの磁石収容部１４４には互いに異なる極性を有するように磁石を装着することができる。磁石によって発生する引力及び斥力により、内部ローター４６と外部ローター４５は互いに異なる極性がもっと近くに配置されることができる。よって、モーター４２の回転によって外部ローター４５が回転すれば、これにより内部ローター４６も回転することができる。内部ローター４５の回転によって混合容器７０内の液体をより効果的に混合することができる。
【００６５】
内部ローター４６の上部メンバー４６ｂ及び下部メンバー４６ａの中心には軸孔１４１、１４６が形成され、これらに密閉部１４０の湾入突出部３４３が挿入されることができる。ここで、軸孔１４１、１４６と湾入突出部３４３との間には十分な隙間を提供することで、湾入突出部３４３が内部ローターの回転を妨げないようにしなければならない。
【００６６】
内部ローター４６の下部メンバー４６ａの磁石収容部の底面外側には摩擦突起１４５が形成されることができる。内部ローター４６の下部メンバー４ｂの摩擦突起１４５の端部が混合容器７０の底部内面に接触することができる。これにより、内部ローター４６が回転する場合、混合容器７０の底部との摩擦を最小化することができる。
【００６７】
本発明で使用する用語は特定の実施形態を説明するためのものであり、本発明を限定しようとするものではない。単数の表現は、文脈上明らかに指示しない限り、複数の意味を含むと解釈すべきである。“含む”又は“有する”などの用語は明細書上に記載された特徴、数字、段階、動作、構成要素又はこれらの組合せが存在することを意味するものであり、これを排除するためのものではない。
【００６８】
本発明は上述した実施形態及び添付図面によって限定されるものではなく、添付の請求範囲によって限定されるものである。したがって、請求範囲に記載された本発明の技術的思想を逸脱しない範囲内で当該技術分野の通常の知識を有する者によって多様な形態の置換、変形及び変更が可能であり、これも本発明の範囲に属すると見なすべきである。
【図１】
2021533973.tif 000003
【図２】
2021533973.tif 000004
【図３】
2021533973.tif 000005
【図４】
2021533973.tif 000006
【図５】
2021533973.tif 000007
【図６】
2021533973.tif 000008
【図７】
2021533973.tif 000009
【図８】
2021533973.tif 000010
【図９】
2021533973.tif 000011
【図１０】
2021533973.tif 000012
【図１１】
2021533973.tif 000013
【図１２】
2021533973.tif 000014
【図１３】
2021533973.tif 000015
【図１４】
2021533973.tif 000016
【図１５】
2021533973.tif 000017
【図１６】
2021533973.tif 000018
【図１７】
2021533973.tif 000019
【図１８】
2021533973.tif 000020
【図１９】
2021533973.tif 000021
【図２０ａ】
2021533973.tif 000022
【図２０ｂ】
2021533973.tif 000023
【図２１ａ】
2021533973.tif 000024
【図２１ｂ】
2021533973.tif 000025
【国際調査報告】
2021533973.tif 000026
2021533973.tif 000027
2021533973.tif 000028
2021533973.tif 000029
2021533973.tif 000030
2021533973.tif 000031
2021533973.tif 000032
2021533973.tif 000033